【事件の表示】
　特願２０１６−１９３３５４号「遊技機」拒絶査定不服審判事件〔平成２９年　１月２６日出願公開、特開２０１７−　１８６７１号〕について、次のとおり審決する。
【結　論】
　本件審判の請求は、成り立たない。
【理　由】
第１　手続の経緯
　本願は、平成２４年３月２９日に出願した特願２０１２−７５４９２号の一部を平成２８年９月３０日に新たな特許出願（特願２０１６−１９３３５４号）としたものであって、平成２９年３月１６日に手続補正書が提出され、同年８月３１日付けで拒絶の理由が通知され、同年１２月２６日に意見書及び手続補正書が提出され、平成３０年３月２３日付けで最後の拒絶の理由が通知され、同年８月２日に意見書及び手続補正書が提出されたところ、平成３１年１月３０日付け（送達日：同年２月５日）で、平成３０年８月２日に提出された手続補正書による補正が却下されるとともに拒絶査定がなされ、それに対して、令和１年５月７日に拒絶査定不服審判の請求がなされると同時に手続補正がなされたものである。
第２　令和１年５月７日付けの手続補正
　令和１年５月７日付けの手続補正のうち特許請求の範囲についてする補正は、請求項１において、補正前の「所定期間」を「所定時間」とし、補正前の「前記所定の期間状態」を「前記異常報知期間」とするものであり、いずれも特許法第１７条の２第５項第４号に規定する明りょうでない記載の釈明を目的とするものと認められる。
　よって、令和１年５月７日付けの手続補正は、特許法第１７条の２第５項の規定を満たしている。
　また、上記特許請求の範囲についてする補正、及び当該補正と同様に明細書の段落【０００７】においてする補正は、願書の最初に添付した明細書、特許請求の範囲又は図面における段落【０６３１】、【０６３２】の記載に基づくものであり、新たな技術事項を導入するものではないから、特許法第１７条の２第３項に規定する要件を満たしている。
　以上のとおり、令和１年５月７日付けの手続補正は適法なものである。
第３　本願発明
　本願の請求項１に係る発明（以下、「本願発明」という。）は、令和１年５月７日付けの手続補正により補正された特許請求の範囲の請求項１に記載された事項により特定された、次のとおりのものである（Ａ〜Ｌは分説のために当審にて付した）。
「【請求項１】
Ａ　遊技機に対する異常状態を報知する報知音と、遊技の進行による演出音とを出力する複数の音声出力手段と、
Ｂ　演出表示手段と、
Ｃ　前記音声出力手段から出力する音量を調整可能な第１音量調整手段と、Ｄ　前記音声出力手段と前記演出表示手段とを演出の進行にもとづいて制御する演出制御手段と、
Ｅ　前記音声出力手段から出力する音量を調整可能な前記第１音量調整手段とは異なる第２音量調整手段と、
Ｆ　を備える遊技機において、
Ｇ　前記第１音量調整手段と前記第２音量調整手段のうち、前記第１音量調整手段は、遊技者が操作することができない調整手段とされ、
Ｈ　前記演出制御手段は、
Ｈ−１　前記第１音量調整手段が操作されたことにより該操作に応じて演出音の音量を設定する演出音音量設定制御手段と、
Ｈ−２　前記演出表示手段が待機状態とされている期間において、遊技者が操作可能な前記第２音量調整手段が操作されたことにより該操作に応じて前記演出音音量設定制御手段が設定した演出音の音量を変更する演出音音量変更制御手段と、
Ｈ−３　異常状態に基づく異常報知期間において前記遊技機に対する異常状態を報知するための前記報知音の音量を設定する報知音音量設定制御手段と、
Ｈ−４　前記遊技機に対する異常状態を報知する前記報知音が前記音声出力手段から出力される前記異常報知期間を所定時間経過したことによって終了させる報知期間終了手段と、
Ｈ−５　前記演出音の音量が前記演出音音量変更制御手段によりいずれの音量に変更されていても、前記遊技機に対する異常状態が発生した場合に、前記演出音音量変更制御手段により変更された音量を消音させる演出音消音制御手段と、
Ｈ−６　前記遊技機に対する異常状態が発生した際に前記演出音消音制御手段により消音に変更設定された前記演出音の音量を前記報知期間終了手段によって前記異常報知期間が所定時間経過し終了すると復旧設定させるとともに、前記異常報知期間に亘って消音に変更設定される前記演出音を前記異常報知期間の間も停止することなく進行を継続させ、復旧設定される際に進行した状態で復旧させる演出音進行継続制御手段と、
Ｈ−７　前記演出音及び前記報知音を前記音声出力手段から出力する制御を実行する音出力実行制御手段と、を備え、
Ｉ　前記報知音音量設定制御手段は、
Ｉ−１　前記演出音音量設定制御手段が前記第１音量調整手段の操作に応じて前記演出音の音量を小さく設定している状態又は前記演出音音量変更制御手段が前記第２音量調整手段の操作に応じて前記演出音音量設定制御手段が設定した前記演出音の音量を小さく変更している状態であっても、前記異常報知期間においては、当該演出音の音量と比べて大きい音量を前記報知音の音量として設定し、
Ｊ　前記演出音進行継続制御手段は、
Ｊ−１　前記異常報知期間が発生する以前に前記演出音音量変更制御手段にて前記演出音の音量が変更されていない場合には、前記異常報知期間が所定時間経過し終了すると復旧設定される前記演出音の音量を前記第１音量調整手段で調整されている音量に設定し、
　前記異常報知期間が発生する以前に前記演出音音量変更制御手段により前記演出音の音量が変更されていた場合には、前記異常報知期間が所定時間経過し終了すると復旧設定される前記演出音の音量を前記第１音量調整手段で調整されている音量に設定せず、前記異常報知期間が発生する以前に前記第２音量調整手段の操作に応じて前記演出音音量変更制御手段により変更されていた演出音の音量に設定させ、
Ｋ　前記音出力実行制御手段は、前記異常報知期間においては、前記異常報知期間以外に出力しない前記報知音の音データを前記異常報知期間以外に出力する前記演出音の音データに加えて出力することで前記報知音を前記音声出力手段から出力し聴取可能にしている
Ｌ　ことを特徴とする遊技機。」
第４　引用文献
１　引用文献１
　原査定の拒絶の理由に引用された、本願の出願前に頒布された又は電気通信回線を通じて公衆に利用可能となった刊行物である特開２００８−５４９３０号公報（以下、「引用文献１」という。）には、以下の事項が記載されている（下線は当審にて付した）。
（１−ａ）「【０００６】
　本発明は、上記事情に鑑みてなされたものであり、
遊技機に異常が発生した場合に、その異常発生を効果的に報知する
（１−ｂ）「【００３５】
　以下、遊技機の一種であるパチンコ遊技機（以下、「パチンコ機」という）の一実施の形態を、図面に基づいて詳細に説明する。図１は
パチンコ機１０
（１−ｃ）「【０２４２】
　
表示制御基板２１４ａは、
図柄表示装置４１の表示制御や
スピーカ２０の駆動制御を行う。
　・・・
【０２４７】
　ステップＳ１７０６では、
音量スイッチ２８１の状態を読み込み、
演出音の音量を設定する音量設定処理を行う。本パチンコ機１０には、音量を３段階に調節可能な音量スイッチ２８１が設けられており、出力用データをスピーカ２０に対して出力する
出力経路として、大音量経路、小音量経路、切経路の３つの経路が設けられており
【０２４８】
　大音量経路には、可聴音を大音量で出力するための増幅回路が接続され、小音量経路には、可聴音を小音量で出力するための増幅回路が接続され、
切経路には、可聴音を出力しないための回路が接続されている。
音量スイッチ２８１が「小」に調節されていれば出力経路として小音量経路を設定し
【０２４９】
　ステップＳ１７０７の処理後、ステップＳ１７０８に進み、出力データとして設定した
演出音データを、
スピーカ２０に対して順次出力する処理を行い
第１図柄の変動表示態様に応じたメロディ等の演出音が音量スイッチ２８１により設定された音量でスピーカ２０から出力される
　・・・
【０２５１】
　ステップＳ１７１１の処理後、ステップＳ１７１２に進み、
スピーカ２０から出力させる異常報知音
異常報知音データを出力する出力経路として大音量経路を設定する。このとき、演出音をスピーカ２０から出力させている場合には、演出音データの出力経路を切経路に変更する。
【０２５２】
　ステップＳ１７１３の処理後、ステップＳ１７０８に進み、出力用データとして設定した
異常報知音データを大音量経路からスピーカ２０に対して順次出力する処理を行い
演出音がスピーカ２０から出力されている場合には、演出音データを切経路からスピーカ２０に対して順次出力する処理を行う。
スピーカ２０からの演出音の出力が停止され、スピーカ２０からは大音量の異常報知音のみが出力されることとなる。
　・・・
【０２５４】
　一方、
エラーコマンドを受信した場合には、
スピーカ２０から出力させる異常報知音を設定するための異常報知音設定処理を行う。
異常報知音データを出力する出力経路として大音量経路を設定する。このとき、演出音をスピーカ２０から出力させている場合には、演出音データの出力経路を切経路に変更する。
　・・・
【０２５７】
　
状態復帰処理では、
状態復帰コマンドを受信した場合、
可聴音の状態復帰処理を行う。具体的には、大音量経路からの異常報知音データの出力を停止する。
異常が解消された場合には、スピーカ２０から音量スイッチ２８１の状態に応じた音量で演出音が出力されることとなる。
（１−ｄ）「【０２８３】
　（ｋ）上記実施の形態では、表示制御装置２１４が表示初期化コマンド又は
エラーコマンドを受信した場合、
異常報知音と並行して演出音を出力する構成としても良い。
異常報知音データを出力する出力経路として大音量経路を設定する
演出音データを出力する出力経路を
切経路とし、
（１−ｅ）「【０２８４】
　（ｌ）上記実施の形態では、表示制御装置２１４が表示コマンドを受信する毎に音量スイッチ２８１の状態を読み込む構成としたが、パチンコ機１０の背面側に音量スイッチ２８１が設けられているのであれば、パチンコ機１０の電源投入時にのみ音量スイッチ２８１の状態を読み込む構成としても良い。この場合、表示制御装置２１４は、読み込んだ音量スイッチ２８１の状態をＲＡＭに記憶し、状態に応じたフラグをフラグ格納エリアにセットする。そして、表示コマンドを受信した場合は、いずれのフラグがセットされているかを読み込んで音量設定を行う。
パチンコ機１０の背面側に音量スイッチ２８１が設けられている構成であれば、遊技ホールの管理者等が電源投入時に音量を設定し
　上記（１−ａ）〜（１−ｅ）の記載事項を総合すると、引用文献１には、次の発明が記載されていると認められる（以下、「引用発明」という。）。
「ａ　遊技機に異常が発生した場合に異常報知音が出力され、第１図柄の変動表示態様に応じたメロディ等の演出音が出力されるスピーカ２０と（段落【０００６】、【０２４９】、【０２５１】）、
ｂ　図柄表示装置４１と（段落【０２４２】）、
ｃ　スピーカ２０から出力される音量を調節可能な音量スイッチ２８１と（【０２４７】）、
ｄ　図柄表示装置４１の表示制御やスピーカ２０の駆動制御を行う表示制御基板２１４ａと（段落【０２４２】）、
ｆ　を備えるパチンコ機１０であって（段落【００３５】）、
ｇ　パチンコ機１０の背面側に音量スイッチ２８１が設けられ、遊技ホールの管理者等が電源投入時に音量を設定し（段落【０２８４】）、
ｈ　表示制御基板２１４ａは（段落【０２４２】）、
ｈ−１　音量スイッチ２８１の状態を読み込み、演出音の音量を設定する音量設定処理を行い（段落【０２４７】）、
ｈ−３　エラーコマンドを受信した場合には、スピーカ２０から出力させる異常報知音を設定するための異常報知音設定処理を行い、異常報知音データを出力する出力経路として大音量経路を設定し（段落【０２５４】）、
ｈ−４　状態復帰コマンドを受信した場合、大音量経路からの異常報知音データの出力を停止する状態復帰処理を行い（段落【０２５７】）
ｈ−５　エラーコマンドを受信した場合には、音量スイッチ２８１により設定されたスピーカ２０からの演出音の出力を停止し（段落【０２４７】、【０２５２】、【０２５４】）、
ｈ−６　エラーコマンドを受信した場合に、音量スイッチ２８１により設定された演出音をスピーカ２０から出力させている場合には、演出音データの出力経路を切経路に変更し、演出音データを切経路からスピーカ２０に対して順次出力する処理を行い、状態復帰コマンドを受信した場合、スピーカ２０から音量スイッチ２８１の状態に応じた音量で演出音が出力される状態復帰処理を行い（段落【０２４７】、【０２５２】、【０２５４】、【０２５７】）、
ｈ−７　演出音データ及び異常報知音データをスピーカ２０に対して順次出力する処理を行い（段落【０２４９】、【０２５２】）、
ｉ　表示制御基板２１４ａは（段落【０２４２】）、
ｉ−１　演出音の音量を設定する音量スイッチ２８１が「小」に調節されていれば出力経路として小音量経路を設定し、エラーコマンドを受信した場合には、スピーカ２０からの演出音の出力を停止し、スピーカ２０からは大音量の異常報知音のみを出力し（段落【０２４７】、【０２４８】、【０２５２】、【０２５４】）、
ｊ　表示制御基板２１４ａは（段落【０２４２】）、
ｊ−１　状態復帰コマンドを受信した場合、音量スイッチ２８１の状態に応じた音量で演出音を出力し（段落【０２５７】）、
ｋ　表示制御基板２１４ａは、エラーコマンドを受信した場合、異常報知音と並行して演出音を出力し、異常報知音データを大音量経路からスピーカ２０に対して順次出力する処理を行い、演出音データを切経路からスピーカ２０に対して順次出力する処理を行う（段落【０２５２】、【０２８３】）
ｌ　パチンコ機１０（段落【００３５】）。
２　引用文献２
　同じく原査定の拒絶の理由に引用された、本願の出願前に頒布された又は電気通信回線を通じて公衆に利用可能となった刊行物である特開２００７−８９６４９号公報（以下、「引用文献２」という。）には、以下の事項が記載されている（下線は当審で付した）。
（２−ａ）「【００４５】
（パチンコ機正面側の構成）
　図１は
パチンコ機１０
（２−ｂ）「【００５３】
　一方、
前面枠セット１４
には、
音響装置の出力音量を調節する操作を遊技者が行うための
音量調節ボタン８１が設けられている。
（２−ｃ）「【０１５７】
　次いで、図１９を参照して、
サブ制御装置２６２の通常処理
　・・・
【０１６２】
　次いで、
遊技者による音量入力装置６２０の音量調節ボタン８１の入力操作を確認し、入力操作があったときは、遊技者によって調節可能な音量系統群の各々に対応する設定音量情報を変更する（可変音量変更処理；Ｓ１０３７）
【０１６３】
　ここで、図２０を参照して、可変音量変更処理Ｓ１０３７について具体例に基づいて説明する。なお、図２０に示された
可変音量変更処理Ｓ１０３７に基づく音量調節は、装飾図柄の変動が行われていない場合のみに行える。
（２−ｄ）「【０２０３】
　音量系統情報保持手段（ＲＯＭ５５１（図６参照）の一部の領域）７０１は、音響制御コマンドの種類と音量系統の種類との対応を表す音量系統テーブル（音量系統情報）を保持している。音量系統情報保持手段９０７がＲＯＭ５５１の一部の領域であるために、音量系統テーブルは不揮発性のデータである。本形態では、複数種類の音量系統は、
遊技者によって個別に調節できる第１の音量系統〜第４の音量系統（遊技者可変の音量系統群）
【０２０４】
　具体的には、図３０に示されたように、
通常リーチを指定する変動パターン指定コマンドＡが第１の音量系統
スーパーリーチを指定する変動パターン指定コマンドＢが第２の音量系統
プレミアムリーチを指定する変動パターン指定コマンドＣが第３の音量系統
変動パターン指定コマンドＡ〜Ｃ、エラーコマンド及び特別演出コマンド以外の他のコマンドが第４の音量系統
　・・・
【０２３７】
　上記の構成であれば、
遊技者が、音量入力装置６２０の操作によって、複数種類の音量系統のうちの特定の音量系統（遊技者可変の音量系統）の音量を調節できる。
　上記（２−ａ）〜（２−ｄ）の記載事項を総合すると、引用文献２には、次の事項が記載されていると認められる（以下「引用文献２記載の事項」という）。
「ｅ、ｇ、ｈ−２　音響装置の出力音量を調節する操作を遊技者が行うための音量調節ボタン８１の入力操作があったときは、サブ制御装置２６２は、通常リーチを指定する変動パターン指定コマンドＡが属する第１の音量系統、スーパーリーチを指定する変動パターン指定コマンドＢが属する第２の音量系統、プレミアムリーチを指定する変動パターン指定コマンドＣが属する第３の音量系統、変動パターン指定コマンドＡ〜Ｃ、エラーコマンド及び特別演出コマンド以外の他のコマンドが属する第４の音量系統の音量に対応する設定音量情報を変更し、音量調節は、装飾図柄の変動が行われていない場合のみに行う（段落【００５３】、【０１５７】、【０１６２】、【０１６３】、【０２０３】、【０２０４】、【０２３７】）
ｌ　パチンコ機１０（段落【００４５】）。」
第５　対比
　本願発明と引用発明とを対比する（下記の見出しの（ａ）〜（ｌ）は、引用発明の構成に対応している）。 
（ａ）引用発明の構成ａにおける「異常報知音」、「演出音」及び「スピーカ２０」は、それぞれ、本願発明の構成Ａの「報知音」、「演出音」及び「音声出力手段」に相当する。
　してみると、引用発明の構成ａは、本願発明の構成Ａに相当する。
（ｂ）引用発明の構成ｂにおける「図柄表示装置４１」は、本願発明の構成Ｂの「演出表示手段」に相当する。
　してみると、引用発明の構成ｂは、本願発明の構成Ｂに相当する。
（ｃ）引用発明の構成ｃにおける「音量スイッチ２８１」は、本願発明の構成Ｃの「第１音量調整手段」に相当する。
　してみると、引用発明の構成ｃは、本願発明の構成Ｃに相当する。
（ｄ）引用発明の構成ｄにおける「表示制御」及び「駆動制御」は、演出の進行にもとづいて行われることは自明であるから、引用発明の構成ｄにおける「表示制御や」「駆動制御を行う」こと、「表示制御基板２１４ａ」は、それぞれ、本願発明の構成Ｄの「演出の進行にもとづいて制御する」こと、「演出制御手段」に相当する
　してみると、引用発明の構成ｄは、本願発明の構成Ｄに相当する。
（ｆ）引用発明の構成ｆにおける「パチンコ機１０」は、本願発明の構成Ｆの「遊技機」に相当する。
　してみると、引用発明の構成ｆは、本願発明の構成Ｆに相当する。
（ｇ）引用発明の構成ｇにおいて、「遊技ホールの管理者等が」「音量を設定」する「音量スイッチ２８１」は「パチンコ機１０の背面側に」「設けられ」るということは、「音量スイッチ２８１」は遊技者が操作することができないことは自明であるから、引用発明の構成ｇにおける「音量スイッチ２８１」は、本願発明の構成Ｇの「遊技者が操作することができない調整手段」に相当する。
　してみると、引用発明の構成ｇは、本願発明の構成Ｇと、「第１音量調整手段は、遊技者が操作することができない調整手段とされ」る点で共通する。
（ｈ−１）引用発明の構成ｈ−１における「音量スイッチ２８１の状態を読み込み、演出音の音量を設定する音量設定処理を行」うことは、本願発明の構成Ｈ−１の「第１音量調整手段が操作されたことにより該操作に応じて演出音の音量を設定する演出音音量設定制御手段」を備えることに相当する。
　してみると、引用発明の構成ｈ−１は、本願発明の構成Ｈ−１に相当する。
（ｈ−３）、（ｈ−４）引用発明の構成ｈ−３、ｈ−４において、「エラーコマンドを受信した場合」から「状態復帰コマンドを受信した場合」までの期間に「異常報知音データを出力する出力経路として大音量経路を設定」することから、引用発明の構成ｈ−３、ｈ−４における「エラーコマンドを受信した場合」から「状態復帰コマンドを受信した場合」までの期間は、本願発明の構成Ｈ−３、Ｈ−４の「異常報知期間」に相当する。
　また、引用発明の構成ｈ−３における「異常報知音設定処理を行」うことは、本願発明の構成Ｈ−３の「報知音音量設定制御手段」を備えることに相当する。
　さらに、引用発明の構成ｈ−３、ｈ−４において、「エラーコマンドを受信した場合」から「状態復帰コマンドを受信した場合」までの期間において所定時間が経過していることは当然であるから、引用発明の構成ｈ−４における「状態復帰コマンドを受信した場合、大音量経路からの異常報知音データの出力を停止する状態復帰処理を行」うことは、本願発明の構成Ｈ−４の「前記異常報知期間を所定時間経過したことによって終了させる報知期間終了手段」を備えることに相当する。
　してみると、引用発明の構成ｈ−３、ｈ−４は、本願発明の構成Ｈ−３、Ｈ−４に相当する。
（ｈ−５）引用発明の構成ｈ−５における「エラーコマンドを受信した場合」、「設定された演出音の出力を停止」する処理を行うことは、それぞれ、本願発明の構成Ｈ−５の「異常状態が発生した際」、「演出音の音量が」「いずれの音量に変更されていても、」「変更された音量を消音させる演出音消音制御手段」を備えることに相当する。
　してみると、引用発明の構成ｈ−５は、本願発明の構成Ｈ−５と、「演出音の音量がいずれの音量に変更されていても、遊技機に対する異常状態が発生した場合に、変更された音量を消音させる演出音消音制御手段」「を備え」る点で共通する。
（ｈ−６）引用発明の構成ｈ−６における「エラーコマンドを受信した場合に、音量スイッチ２８１により設定された演出音をスピーカ２０から出力させている場合には、演出音データの出力経路を切経路に変更し、演出音データを切経路からスピーカ２０に対して順次出力する処理を行」うことは、本願発明の構成Ｈ−６の「異常報知期間に亘って消音に変更設定される演出音を異常報知期間の間も停止することなく進行を継続させ」ることに相当する。
　また、引用発明の構成ｈ−６において、「演出音データを切経路からスピーカ２０に対して順次出力する処理を行」うということは、「状態復帰コマンドを受信した場合に、」「スピーカ２０から」「演出音が出力される状態復帰処理を行」うことで出力される演出音は、進行した状態の演出音であることは自明であるから、引用発明の構成ｈ−６における「状態復帰コマンドを受信した場合に、」「スピーカ２０から」「演出音が出力される状態復帰処理を行」うことは、本願発明の構成Ｈ−６の「遊技機に対する異常状態が発生した際に演出音消音制御手段により消音に変更設定された演出音の音量を報知期間終了手段によって異常報知期間が所定時間経過し終了すると復旧設定させるとともに、」「復旧設定される際に進行した状態で復旧させる演出音進行継続制御手段」を備えることに相当する。
　してみると、引用発明の構成ｈ−６は、本願発明の構成Ｈ−６に相当する。
（ｈ−７）引用発明の構成ｈ−７における「演出音データ及び異常報知音データをスピーカ２０に対して順次出力する処理を行」うことは、本願発明の構成Ｈ−７の「音出力実行制御手段」を備えることに相当する。
　してみると、引用発明の構成ｈ−７は、本願発明の構成Ｈ−７に相当する。
（ｈ）引用発明の構成ｈ−１、ｈ−３、ｈ−４、ｈ−５、ｈ−６、ｈ−７の各種処理を行う、構成ｈの「表示制御基板２１４ａ」は、本願発明の構成Ｈの「演出制御手段」に相当する。
　してみると、引用発明の構成ｈは、本願発明の構成Ｈに相当する。
（ｉ）、（ｉ−１）引用発明の構成ｉ−１における「演出音の音量を設定する音量スイッチ２８１が「小」に調節されていれば出力経路として小音量経路を設定」することは、本願発明の構成Ｉ−１の「前記演出音音量設定制御手段が前記第１音量調整手段の操作に応じて前記演出音の音量を小さく設定」することに相当する。
　また、引用発明の構成ｉ−１において、演出音の出力経路として「小音量経路を設定」した状態において、「エラーコマンドを受信した場合には、スピーカ２０からの演出音の出力を停止し、スピーカ２０からは大音量の異常報知音のみを出力」するということは、演出音の音量を小さく変更している状態であっても、当該演出音の音量と比べて大きい音量の異常報知音が設定されることになるから、引用発明の構成ｉ、ｉ−１における「エラーコマンドを受信した場合には、スピーカ２０からの演出音の出力を停止し、スピーカ２０からは大音量の異常報知音のみを出力」する「表示制御基板２１４ａ」は、本願発明の構成Ｉ、Ｉ−１の「異常報知期間においては、当該演出音の音量と比べて大きい音量を報知音の音量として設定」する「報知音音量設定制御手段」に相当する。
　してみると、引用発明の構成ｉ、ｉ−１は、本願発明の構成Ｉ、Ｉ−１と、「報知音音量設定制御手段は、演出音音量設定制御手段が第１音量調整手段の操作に応じて演出音の音量を小さく設定している状態であっても、異常報知期間においては、当該演出音の音量と比べて大きい音量を報知音の音量として設定」する点で共通する。
（ｊ）、（ｊ−１）引用発明の構成ｊ−１における「状態復帰コマンドを受信した場合、音量スイッチ２８１の状態に応じた音量で演出音を出力」する「表示制御基板２１４ａ」は、本願発明の構成Ｊ、Ｊ−１の「異常報知期間が所定時間経過し終了すると復旧設定される演出音の音量を第１音量調整手段で調整されている音量に設定」する「演出音進行継続制御手段」に相当する。
　してみると、引用発明の構成ｊ、ｊ−１は、本願発明の構成Ｊ、Ｊ−１と「演出音進行継続制御手段は、異常報知期間が所定時間経過し終了すると復旧設定される演出音の音量を第１音量調整手段で調整されている音量に設定」する点で共通する。
（ｋ）引用発明の構成ｋにおける「エラーコマンドを受信した場合」に「大音量経路からスピーカ２０に対して順次出力」される「異常報知音データ」、「エラーコマンドを受信した場合」に「切経路からスピーカ２０に対して順次出力」される「演出音データ」は、それぞれ、本願発明の構成Ｋの「異常報知期間以外に出力しない報知音の音データ」、「異常報知期間以外に出力する演出音の音データ」に相当する。
　してみると、引用発明の構成ｋは、本願発明の構成Ｋと「音出力実行制御手段は、異常報知期間においては、異常報知期間以外に出力しない報知音の音データと、異常報知期間以外に出力する演出音の音データとを出力することで報知音を音声出力手段から出力し聴取可能にしている」点で共通する。
（ｌ）引用発明の構成ｌは、本願発明の構成Ｌに相当する。
　したがって、本願発明と引用発明とは、
「Ａ　遊技機に対する異常状態を報知する報知音と、遊技の進行による演出音とを出力する複数の音声出力手段と、
Ｂ　演出表示手段と、
Ｃ　前記音声出力手段から出力する音量を調整可能な第１音量調整手段と、Ｄ　前記音声出力手段と前記演出表示手段とを演出の進行にもとづいて制御する演出制御手段と、
Ｆ　を備える遊技機において、
Ｇ’　前記第１音量調整手段は、遊技者が操作することができない調整手段とされ、
Ｈ　前記演出制御手段は、
Ｈ−１　前記第１音量調整手段が操作されたことにより該操作に応じて演出音の音量を設定する演出音音量設定制御手段と、
Ｈ−３　異常状態に基づく異常報知期間において前記遊技機に対する異常状態を報知するための前記報知音の音量を設定する報知音音量設定制御手段と、
Ｈ−４　前記遊技機に対する異常状態を報知する前記報知音が前記音声出力手段から出力される前記異常報知期間を所定時間経過したことによって終了させる報知期間終了手段と、
Ｈ−５’　前記演出音の音量がいずれの音量に変更されていても、前記遊技機に対する異常状態が発生した場合に、変更された音量を消音させる演出音消音制御手段と、
Ｈ−６　前記遊技機に対する異常状態が発生した際に前記演出音消音制御手段により消音に変更設定された前記演出音の音量を前記報知期間終了手段によって前記異常報知期間が所定時間経過し終了すると復旧設定させるとともに、前記異常報知期間に亘って消音に変更設定される前記演出音を前記異常報知期間の間も停止することなく進行を継続させ、復旧設定される際に進行した状態で復旧させる演出音進行継続制御手段と、
Ｈ−７　前記演出音及び前記報知音を前記音声出力手段から出力する制御を実行する音出力実行制御手段と、を備え、
Ｉ　前記報知音音量設定制御手段は、
Ｉ−１’　前記演出音音量設定制御手段が前記第１音量調整手段の操作に応じて前記演出音の音量を小さく設定している状態であっても、前記異常報知期間においては、当該演出音の音量と比べて大きい音量を前記報知音の音量として設定し、
Ｊ　前記演出音進行継続制御手段は、
Ｊ−１’　前記異常報知期間が所定時間経過し終了すると復旧設定される前記演出音の音量を前記第１音量調整手段で調整されている音量に設定し、
Ｋ’　前記音出力実行制御手段は、前記異常報知期間においては、前記異常報知期間以外に出力しない前記報知音の音データと前記異常報知期間以外に出力する前記演出音の音データとを出力することで前記報知音を前記音声出力手段から出力し聴取可能にしている
Ｌ　ことを特徴とする遊技機。」 
　である点で一致し、以下の点で相違する。 
（相違点１）（構成Ｅ、Ｇ、Ｈ−２） 
　本願発明は、「音量出力手段から出力する音量を調整可能な第１音量調整手段とは異なる第２音量調整手段」を備え、「第１音量調整手段と第２音量調整手段のうち、」第１音量調整手段は遊技者が操作することができない調整手段とされ、「演出表示手段が待機状態とされている期間において、遊技者が操作可能な第２音量調整手段が操作されたことにより該操作に応じて演出音音量設定制御手段が設定した演出音の音量を変更する演出音音量変更制御手段」を備えるのに対し、引用発明は、「第２音量調整手段」及び「演出音音量変更制御手段」に相当する構成を備えていない点。
（相違点２）（構成Ｈ−５）
　本願発明は、演出音消音制御手段により消音する演出音を、「演出音音量変更制御手段」により変更された演出音とするのに対し、引用発明は、「音量スイッチ２８１」により設定された演出音とする点。
（相違点３）（構成Ｉ−１）
　本願発明は、演出音音量設定制御手段が第１音量調整手段の操作に応じて演出音の音量を小さく設定している状態のみならず、「演出音音量変更制御手段が第２音量調整手段の操作に応じて演出音音量設定制御手段が設定した演出音の音量を小さく変更している状態」であっても、異常報知期間においては、当該演出音の音量と比べて大きい音量を報知音の音量として設定することを特定するのに対し、引用発明は、「演出音音量変更制御手段」に相当する構成を備えておらず、前記特定を有していない点。
（相違点４）（構成Ｊ−１）
　本願発明は、「異常報知期間が発生する以前に演出音音量変更制御手段にて演出音の音量が変更されていない場合には、異常報知期間が所定時間経過し終了すると復旧設定される演出音の音量を第１音量調整手段で調整されている音量に設定し、異常報知期間が発生する以前に演出音音量変更制御手段により演出音の音量が変更されていた場合には、異常報知期間が所定時間経過し終了すると復旧設定される演出音の音量を第１音量調整手段で調整されている音量に設定せず、異常報知期間が発生する以前に第２音量調整手段の操作に応じて前記演出音音量変更制御手段により変更されていた演出音の音量に設定させる」ことを特定するのに対し、引用発明は、「演出音音量変更制御手段」に相当する構成を備えておらず、前記特定を有していない点。
（相違点５）（構成Ｋ）
　異常報知期間において、異常報知期間以外に出力しない報知音の音データと異常報知期間以外に出力する演出音の音データを出力するにあたり、本願発明は、異常報知期間以外に出力しない報知音の音データを異常報知期間以外に出力する演出音の音データに「加えて出力する」のに対し、引用発明は、そのような特定を有していない点。
第６　判断  
１　相違点について
（１）相違点１について
　引用文献２記載の事項は、上記「第４　２」に示したとおりのものである。
　引用文献２記載の事項の「音響装置の出力音量を調節する操作を遊技者が行うための音量調節ボタン８１」、「サブ制御装置２６２」、「通常リーチを指定する変動パターン指定コマンドＡが属する第１の音量系統、スーパーリーチを指定する変動パターン指定コマンドＢが属する第２の音量系統、プレミアムリーチを指定する変動パターン指定コマンドＣが属する第３の音量系統、変動パターン指定コマンドＡ〜Ｃ、エラーコマンド及び特別演出コマンド以外の他のコマンドが属する第４の音量系統の音量」及び「装飾図柄の変動が行われていない場合」は、それぞれ、本願発明の「遊技者が操作可能な第２音量調整手段」、「演出音音量変更制御手段」、「演出音の音量」及び「演出表示手段が待機状態とされている期間」に対応する。
　したがって、引用文献２記載の事項は、上記相違点１に係る本願発明の構成のうち、「音量出力手段から出力する音量を調整可能な」「第２音量調整手段」及び「演出表示手段が待機状態とされている期間において、遊技者が操作可能な第２音量調整手段が操作されたことにより該操作に応じて演出音音量設定制御手段が設定した演出音の音量を変更する演出音音量変更制御手段」の構成を含むものであり、引用発明が当該構成を備えた場合、第１音量調整手段とは異なる第２音量調整手段を備え、第１音量調整手段と第２音量調整手段のうち、第１音量調整手段は遊技者が操作することができず、演出表示手段が待機状態とされている期間において、遊技者が操作可能な第２音量調整手段が操作されたことにより該操作に応じて演出音音量設定制御手段が設定した演出音の音量を変更することになるのは自明である。
　そして、引用発明と引用文献２記載の事項とは、演出音の音量調整手段を設けた遊技機である点で共通する。
　また、引用発明では、遊技ホールの管理者等が電源投入時に音量を設定するための音量スイッチ２８１が設けられているが、演出音の音量を自由に調節し、好みに合った音量で遊技を楽しみたいという遊技者の要望は、引用発明においても潜在しているといえるから、引用発明に引用文献２記載の事項を適用して、遊技者が操作することができない第１音量調整手段からなる演出音音量設定制御手段と、第１音量調整手段とは異なる第２音量調整手段の両手段を備え、演出表示手段が待機状態とされている期間において、遊技者が操作可能な第２音量調整手段が操作されたことにより該操作に応じて演出音音量設定制御手段が設定した演出音の音量を変更する演出音音量変更制御手段を備えるという上記相違点１に係る本願発明の構成とすることは、当業者にとって容易である。
（２）相違点２について
　上記「（１）相違点１について」で示したように、引用発明に、引用文献２記載の事項の演出音音量変更制御手段を適用した場合、演出音消音制御手段により消音する演出音は、音量スイッチ２８１によって設定された演出音のみならず、音量調節ボタン８１によって設定された演出音も対象となることは自明であるから、引用発明に引用文献２記載の事項を適用して、演出音消音制御手段により消音する演出音を「演出音音量変更制御手段」により変更された演出音とする上記相違点２に係る本願発明の構成とすることは、当業者にとって容易である。
（３）相違点３について
　上記「（１）相違点１について」で示したように、引用発明に、引用文献２記載の事項の演出音音量変更制御手段を適用した場合、音量スイッチ２８１によって演出音の音量を小さく設定している場合のみならず、音量調節ボタン８１によって演出音の音量を小さく設定している場合においても、異常報知期間においては、当該演出音の音量と比べて大きい音量を報知音の音量として設定することになることは自明であるから、引用発明に引用文献２記載の事項を適用して、「演出音音量変更制御手段が第２音量調整手段の操作に応じて演出音音量設定制御手段が設定した演出音の音量を小さく変更している状態」であっても、異常報知期間においては、当該演出音の音量と比べて大きい音量を報知音の音量として設定するという上記相違点３に係る本願発明の構成とすることは、当業者にとって容易である。
（４）相違点４について
　上記「（１）相違点１について」で示したように、引用発明に引用文献２記載の事項を適用した場合、異常報知期間が発生する以前に「演出音音量変更制御手段」にて演出音の音量が変更されていない場合には、異常報知期間が所定時間経過し終了すると復旧設定される演出音の音量を第１音量調整手段で調整されている音量に復旧設定することは当然のことである。
　また、異常報知期間の前後において、設定された演出音の音量を変えないようにすることが、遊技者に違和感を与えることのない自然な制御であることは明らかであるから、引用発明に上記引用文献２記載の事項を適用した場合、異常報知期間が発生する以前に「演出音音量変更制御手段」により演出音の音量が変更されていた場合には、異常報知期間が所定時間経過し終了した後に復旧設定される演出音の音量を異常報知期間が発生する以前に変更されていた音量、つまり「演出音音量変更制御手段」により変更されていた音量に復旧設定することが、遊技者に違和感を与えることのない自然な制御であるといえる。
　してみると、引用発明に上記引用文献２記載の事項を適用した上で、異常報知期間が発生する以前に「演出音音量変更制御手段」により演出音の音量が変更されていた場合には、異常報知期間が所定時間経過し終了した後に復旧設定される演出音の音量を異常報知期間が発生する以前に変更されていた音量、つまり「演出音音量変更制御手段」により変更されていた音量に復旧設定するという上記相違点４に係る本願発明の構成とすることは、当業者にとって容易である。
（５）相違点５について
　遊技機の技術分野において、報知音の音データを演出音の音データに加えて出力することは、周知の技術である。（例えば、特開２０１１−１４２９５３号公報の段落【００２７】、【００２９】の、演出音出力信号と報知音出力信号とを音信号合成回路８５で合成して放音する技術（該技術における「演出音出力信号」、「報知音出力信号」及び「合成して放音する」ことは、それぞれ、本願発明の「演出音の音データ」、「報知音の音データ」及び「加えて出力する」ことに相当。）を参照のこと。）
　そして、引用発明と上記周知の技術とは、遊技機に異常が発生した場合に、異常の発生を報知音により報知する点で共通するものである。
　してみると、上記周知の技術を勘案すれば、引用発明において、異常報知期間以外に出力しない報知音の音データを異常報知期間以外に出力する演出音の音データに加えて出力する構成として、上記相違点５に係る本願発明の構成とすることは、当業者にとって容易である。
２　効果について
　本願発明の奏する作用効果は、引用発明、引用文献２記載の事項及び上記周知の技術の奏する作用効果から予測される範囲内のものにすぎず、格別顕著なものということはできない。
３　結論
　したがって、本願発明は、当業者が引用発明、引用文献２記載の事項、及び周知の技術に基づいて容易に発明をすることができたものであるから、特許法第２９条第２項の規定により、特許を受けることができない。
第７  むすび  
　以上のとおりであるから、本願発明は、特許法第２９条第２項の規定により特許を受けることができない。  
　したがって、本願は拒絶されるべきものである。
　よって、結論のとおり審決する。